(57)【要約】【課題】検査スタッフの手を煩わせることなく、過大な光量の照明光が内視鏡に入射することを防止する。【解決手段】光源装置１４には、光源４２が発する照明光の光量を調節する光量調節機構４３が設けられている。光源装置１４のＲＡＭ４１には、照明光の光量の限界値を規定する光源制御情報と、電子内視鏡１０の機種とを関連付けた光源制御情報テーブル４６が記憶されている。ＣＰＵ４０は、電子内視鏡１０に設けられたＲＯＭ２６から電子内視鏡１０の機種を識別するためのスコープ識別情報２８を読み出す。そして、読み出したスコープ識別情報２８を基に光源制御情報テーブル４６を参照し、接続された電子内視鏡１０に対応する光源制御情報を取得する。ＣＰＵ４０は、その光源制御情報を基に光量調節機構４３を制御し、限界値以下となるように光源４２の光量を調節する。【選択図】図１
2009213742.tif 000002
【特許請求の範囲】
【請求項１】
着脱自在に接続される内視鏡に対して照明光を供給する光源を備えた内視鏡用光源装置において、
前記照明光の光量を調節する光量調節手段と、
前記内視鏡の機種毎に決められた前記照明光の光量の限界値を規定する光源制御情報を基に、前記限界値以下となるように前記光量調節手段を制御する制御手段とを設けたことを特徴とする内視鏡用光源装置。
【請求項２】
前記内視鏡は、前記内視鏡の機種を識別するための識別情報を記憶した識別情報記憶手段を有しており、
前記制御手段は、前記内視鏡の機種と前記光源制御情報とを対応付けたテーブルデータを、前記識別情報記憶手段から読み出された前記識別情報を基に参照することにより、接続された前記内視鏡の機種に対応する前記光源制御情報を取得することを特徴とする請求項１記載の内視鏡用光源装置。
【請求項３】
前記内視鏡は、前記光源制御情報を記憶した光源制御情報記憶手段を有しており、
前記制御手段は、前記光源制御情報記憶手段から読み出すことによって、接続された前記内視鏡の機種に対応する前記光源制御情報を取得することを特徴とする請求項１記載の内視鏡用光源装置。
【請求項４】
前記光源制御情報は、前記照明光の光量が前記限界値となるように前記光量調節手段を制御するための制御値であるとともに、前記光源の点灯時間の積算値が長くなるに従って前記制御値が高くなるように構成され、
前記点灯時間を計時する計時手段と、この計時手段が計時した前記点灯時間の積算値を記憶する点灯時間記憶手段とを有し、
前記制御手段は、前記点灯時間記憶手段に記憶された前記積算値と前記光源制御情報とを基に、前記光量調節手段を制御することを特徴とする請求項１から３のいずれか１項に記載の内視鏡用光源装置。
【請求項５】
前記光量調節手段は、絞り開口が形成された絞り板と、前記絞り開口を塞ぐ閉じ位置と前記絞り開口を露呈させる開き位置との間で移動する遮光部材と、前記遮光部材を前記閉じ位置に付勢する付勢部材と、前記遮光部材を前記付勢部材に抗して前記開き位置に移動させるためのモータとで構成され、
前記光源制御情報は、前記モータをＰＷＭ制御するためのデューティ比であり、
前記制御手段は、前記デューティ比の駆動パルス信号を前記モータに入力することで前記モータのトルクを制御し、前記絞り開口の露呈面積を変化させることによって前記限界値以下となるように制御を行なうことを特徴とする請求項１から４のいずれか１項に記載の内視鏡用光源装置。
【発明の詳細な説明】
【技術分野】
【０００１】
本発明は、着脱自在に接続される内視鏡に対して照明光を供給する光源を備えた内視鏡用光源装置に関する。
【背景技術】
【０００２】
内視鏡システムは、体腔内を撮影する内視鏡（スコープ）と、内視鏡から出力される画像データに画像処理を施して表示装置に出力するプロセッサ装置と、体腔内を照明する照明光を発する光源装置とからなる。内視鏡は、体腔内に挿入される挿入部に、可撓性を有するオプティカルファイバからなるライドガイドを有している。ライトガイドは、光源装置が発した照明光を挿入部の先端に形成された照明窓に案内する。これにより、内視鏡は、体腔内を照明しながら撮影を行なうことができる。
【０００３】
照明光によって体腔内を照明する際、照明光の光量が一定であると、体腔内の部位や被写体までの距離によって画像が白く飛んでしまったり、黒くつぶれてしまったりする。これを防止するため、光源装置に絞り機構を設け、撮像素子の出力信号を基に照明光の光量を調節することが行なわれている（例えば、特許文献１参照）。このように、照明光の光量を調節するようにすれば、体腔内の部位や被写体までの距離に応じた適切な露出の内視鏡画像を得ることができる。
【特許文献１】特開平５−７２４８７号公報
【発明の開示】
【発明が解決しようとする課題】
【０００４】
内視鏡に入射させる照明光の光量の限界値は、ライトガイドの本数や挿入部の直径などにより、内視鏡の機種毎に予め決められている。しかしながら、特許文献１では、適切な露出となるように照明光の光量を調節することが記載されているものの、光量の限界値については何ら考慮がなされていない。このため、被写体までの距離が遠く、非常に暗い場合などには、限界値以上の過大な光量の照明光を内視鏡に入射させてしまうことが懸念される。内視鏡に対して過大な光量の照明光を入射させてしまうと、挿入部先端が発熱し、観察窓に付着した血液が固まって観察が困難になったり、挿入部先端に設けられた撮像素子が故障したりするといった問題が生じる。
【０００５】
上記問題の一つの解決策として、医師や技師及び看護師などの検査スタッフが、手動で限界値以下となるように照明光の光量を調節することも考えられる。しかしながら、照明光の限界値は、前述のように内視鏡の機種によって異なるため、手動で光量を調節しようとすると、使用する内視鏡の限界値を逐一調べなければならず、検査スタッフにとって非常に煩わしいものとなってしまう。さらに、手動で光量を調節する場合には、人為的なミスが発生することも考えられるため、過大な照明光の入射を確実に防止することはできない。
【０００６】
本発明は、上記課題を鑑みてなされたものであり、検査スタッフの手を煩わせることなく、過大な光量の照明光が内視鏡に入射してしまうことを確実に防止することを目的とする。
【課題を解決するための手段】
【０００７】
上記目的を達成するため、本発明の内視鏡用光源装置は、着脱自在に接続される内視鏡に対して照明光を供給する光源と、前記照明光の光量を調節する光量調節手段と、前記内視鏡の機種毎に決められた前記照明光の光量の限界値を規定する光源制御情報を基に、前記限界値以下となるように前記光量調節手段を制御する制御手段とを設けたことを特徴とする。
【０００８】
なお、前記内視鏡は、前記内視鏡の機種を識別するための識別情報を記憶した識別情報記憶手段を有し、前記制御手段は、前記内視鏡の機種と前記光源制御情報とを対応付けたテーブルデータを、前記識別情報記憶手段から読み出された前記識別情報を基に参照することにより、接続された前記内視鏡の機種に対応する前記光源制御情報を取得することが好ましい。
【０００９】
また、前記内視鏡は、前記光源制御情報を記憶した光源制御情報記憶手段を有し、前記制御手段は、前記光源制御情報記憶手段から読み出すことによって、接続された前記内視鏡の機種に対応する前記光源制御情報を取得するものでもよい。
【００１０】
さらに、前記光源制御情報は、前記照明光の光量が前記限界値となるように前記光量調節手段を制御するための制御値であるとともに、前記光源の点灯時間の積算値が長くなるに従って前記制御値が高くなるように構成され、前記点灯時間を計時する計時手段と、この計時手段が計時した前記点灯時間の積算値を記憶する点灯時間記憶手段とを有し、前記制御手段は、前記点灯時間記憶手段に記憶された前記積算値と前記光源制御情報とを基に、前記光量調節手段を制御することが好ましい。
【００１１】
なお、前記光量調節手段は、絞り開口が形成された絞り板と、前記絞り開口を塞ぐ閉じ位置と前記絞り開口を露呈させる開き位置との間で移動する遮光部材と、前記遮光部材を前記閉じ位置に付勢する付勢部材と、前記遮光部材を前記付勢部材に抗して前記開き位置に移動させるためのモータとで構成され、前記光源制御情報は、前記モータをＰＷＭ制御するためのデューティ比であり、前記制御手段は、前記デューティ比の駆動パルス信号を前記モータに入力することで前記モータのトルクを制御し、前記絞り開口の露呈面積を変化させることによって前記限界値以下となるように制御を行なうことが好ましい。
【発明の効果】
【００１２】
本発明では、内視鏡の機種毎に決められた照明光の光量の限界値を規定する光源制御情報を基に、限界値以下となるように照明光の光量を調節するようにしたので、過大な光量の照明光が内視鏡に入射してしまうことを確実に防止することができる。また、光源制御情報を制御手段に取得させるようにすれば、検査スタッフの手を煩わせることもない。
【発明を実施するための最良の形態】
【００１３】
図１は、内視鏡システム２の構成を概略的に示すブロック図である。内視鏡システム２は、患者の体腔内を撮影する電子内視鏡１０と、内視鏡画像を生成するプロセッサ装置１２と、体腔内を照明するための照明光を電子内視鏡１０に供給する光源装置１４と、内視鏡画像を表示するモニタ１６とからなる。電子内視鏡１０は、コネクタを介してプロセッサ装置１２、及び光源装置１４に着脱自在に接続される。
【００１４】
電子内視鏡１０は、細管状に形成され、患者の体腔内に挿入される挿入部２０を有している。挿入部２０の先端には、観察対象からの像光を取り込むための観察窓２１と、光源装置１４から供給された照明光を照射するための照明窓２２とが設けられている。また、電子内視鏡１０には、ＣＣＤ２４と、ライトガイド２５と、ＲＯＭ（識別情報記憶手段）２６とが設けられている。
【００１５】
ＣＣＤ２４は、挿入部２０の先端部分に観察窓２１と対面するように配置され、観察窓２１を介して入射した像光を撮像する。ライトガイド２５は、可撓性を有するオプティカルファイバで構成され、光源装置１４から供給された照明光を照明窓２２に案内する。ＲＯＭ２６は、電子内視鏡１０の機種を識別するためのスコープ識別情報２８を記憶している。スコープ識別情報２８は、例えば、電子内視鏡１０の品名や型番など、電子内視鏡１０の機種を識別できるものであれば如何なる情報でもよい。
【００１６】
プロセッサ装置１２には、ＣＰＵ３０、ＲＡＭ３１、タイミングジェネレータ（以下、ＴＧと称す）３２、ＣＣＤドライバ３３、相関二重サンプリング／プログラマブルゲインアンプ（以下、ＣＤＳ／ＰＧＡと称す）３４、Ａ／Ｄ変換器（以下、Ａ／Ｄと称す）３５、画像処理部３６、表示制御部３７、自動調光回路３８が設けられている。ＲＡＭ３１には、プロセッサ装置１２を制御するための各種のプログラムが記憶されている。ＣＰＵ３０は、ＲＡＭ３１から各プログラムを読み出し、それを逐次処理することによってプロセッサ装置１２の各部を統括的に制御する。
【００１７】
ＴＧ３２は、ＣＰＵ３０の制御の下、タイミング信号（クロックパルス）をＣＣＤドライバ３３に入力する。ＣＣＤドライバ３３は、入力されたタイミング信号に基づいて駆動信号をＣＣＤ２４に入力し、ＣＣＤ２４の蓄積電荷の読み出しタイミングやＣＣＤ２４の電子シャッタのシャッタ速度などを制御する。
【００１８】
ＣＤＳ／ＰＧＡ３４は、ＣＣＤドライバ３３の制御に基づいてＣＣＤ２４から出力される撮像信号に対し、ノイズ除去と増幅とを行い、Ａ／Ｄ３５に出力する。Ａ／Ｄ３５は、ＣＤＳ／ＰＧＡ３４から出力されたアナログの撮像信号をデジタルの画像データに変換し、画像処理部３６に出力する。画像処理部３６は、Ａ／Ｄ３５でデジタル化された画像データに対して各種の画像処理を施し、画像処理後の画像データを表示制御部３７に出力する。表示制御部３７は、画像処理部３６から出力された画像データをモニタ１６の形式に対応したビデオ信号（コンポーネント信号、コンポジット信号など）に変換し、そのビデオ信号をモニタ１６に出力する。これにより、患者の体腔内を撮影した内視鏡画像がモニタ１６に表示される。
【００１９】
Ａ／Ｄ３５から出力される画像データは、画像処理部３６とともに自動調光回路３８に入力される。自動調光回路３８は、入力された画像データの輝度信号の積算値を基に、被写体像の輝度を表す測光値を算出し、その算出結果を光源装置１４に出力する。
【００２０】
ＣＰＵ３０は、コネクタや電子内視鏡１０に設けられたユニバーサルコードを介してＲＯＭ２６と接続される。ＣＰＵ３０は、例えば、検査開始が指示されたことに応じてＲＯＭ２６にアクセスし、ＲＯＭ２６からスコープ識別情報２８を読み出す。また、ＣＰＵ３０は、ＲＯＭ２６からスコープ識別情報２８を読み出すと、そのスコープ識別情報２８を光源装置１４に出力する。
【００２１】
光源装置１４には、光源装置１４の各部を統括的に制御するＣＰＵ４０と、光源装置１４を制御するための各種のプログラムを記憶したＲＡＭ４１と、照明光を発する光源４２と、照明光の光量を調節する光量調節機構（光量調節手段）４３と、この光量調節機構４３による光量調節を制御するためのアイリスドライバ（制御手段）４４とが設けられている。
【００２２】
光量調節機構４３は、図２に示すように、絞り板５０と、シャッタ（遮光部材）５１と、コイルバネ（付勢部材）５２と、モータ５３とで構成される。絞り板５０には、略円形に形成された絞り開口５０ａが設けられている。絞り板５０は、光源４２の中心軸と絞り開口５０ａの中心軸とが一致するように配置される。シャッタ５１には、丸棒状に形成されたシャフト部５１ａが設けられている。シャッタ５１は、シャフト部５１ａを介して光源装置１４内に回動自在に支持される。
【００２３】
コイルバネ５２は、シャッタ５１に一端が接続されるとともに、光源装置１４の筐体に固定される支持部材に他端が接続され、シャッタ５１を支持部材側に引き付ける方向に付勢する。コイルバネ５２に付勢されたシャッタ５１は、絞り板５０に設けられた突起５０ｂに当接し、図２（ａ）に示すように、絞り開口５０ａを塞ぐ閉じ位置に保持される。
【００２４】
モータ５３は、アイリスドライバ４４に接続されている。モータ５３は、アイリスドライバ４４から入力される駆動パルス信号に応じて回転軸を回転駆動し、ギアなどを介してシャフト部５１ａに駆動力を伝達する。これにより、コイルバネ５２の付勢に抗してシャフト部５１ａを軸にシャッタ５１が時計方向に回転し、図２（ｂ）、及び図２（ｃ）に示すように、絞り開口５０ａが露呈される。
【００２５】
光量調節機構４３は、デューティ比１００％の駆動パルス信号が入力された際に、絞り開口５０ａ全体が露呈される開き位置（図２（ｃ）参照）にシャッタ５１が移動するように、コイルバネ５２のバネ定数、及びモータ５３のトルクが決められている。すなわち、光量調節機構４３は、駆動パルス信号のデューティ比に応じて、閉じ位置と開き位置との間でシャッタ５１を移動させ、絞り開口５０ａの露呈面積を変化させることにより、光源４２の発する照明光の光量を調節する。そして、アイリスドライバ４４は、ＣＰＵ４０からの制御信号を基に、異なるデューティ比の駆動パルス信号をモータ５３に入力することで、光量調節機構４３による照明光の光量調節を制御する。
【００２６】
ＲＡＭ４１には、光源制御情報テーブル（テーブルデータ）４６が記憶されている。電子内視鏡１０に入射させる照明光の光量の限界値は、ライトガイド２５の本数や挿入部２０の直径などにより、電子内視鏡１０の機種毎に異なる。光源制御情報テーブル４６は、電子内視鏡１０の機種と照明光の光量の限界値との対応関係を示すものであり、図３に示すように、電子内視鏡１０の機種と、照明光の光量の限界値を規定する光源制御情報としてのモータ５３の最大デューティ比（請求項記載の制御値に相当）とが関連付けられて記録されている。
【００２７】
ＣＰＵ４０は、プロセッサ装置１２のＣＰＵ３０、及び自動調光回路３８と接続されている。ＣＰＵ４０は、ＲＯＭ２６から読み出されたスコープ識別情報２８をＣＰＵ３０から受け取るとともに、算出された測光値を自動調光回路３８から受け取る。ＣＰＵ４０は、スコープ識別情報２８を受け取ると、そのスコープ識別情報２８を基に光源制御情報テーブル４６を参照し、プロセッサ装置１２、及び光源装置１４に接続された電子内視鏡１０の機種に対応した最大デューティ比を取得する。
【００２８】
ＣＰＵ４０は、電子内視鏡１０の機種に対応した最大デューティ比を取得すると、その最大デューティ比と測光値との情報を含む制御信号をアイリスドライバ４４に送信する。アイリスドライバ４４は、受信した制御信号を基に、照明光の光量が適正露出となるデューティ比を最大デューティ比以下の範囲で決定し、そのデューティ比の駆動パルス信号をモータ５３に出力する。
【００２９】
例えば、接続された電子内視鏡１０の機種が、光源制御情報テーブル４６の１行目に示す「内視鏡１」であった場合、アイリスドライバ４４は、１周期の４０％がＨｉ状態であるデューティ比４０％の駆動パルス信号（図４（ａ）参照）を最大とし、制御信号に含まれる測光値を基に、４０％以下のデューティ比の駆動パルス信号をモータ５３に出力する。
【００３０】
また、接続された電子内視鏡１０の機種が、光源制御情報テーブル４６の２行目に示す「内視鏡２」であった場合、アイリスドライバ４４は、１周期の７０％がＨｉ状態であるデューティ比７０％の駆動パルス信号（図４（ｂ）参照）を最大とし、制御信号に含まれる測光値を基に、７０％以下のデューティ比の駆動パルス信号をモータ５３に出力する。このように、電子内視鏡１０の機種、及び測光値に応じたデューティ比の駆動パルス信号をモータ５３に入力し、照明光の光量を調節することで、適正な露出が得られるとともに、過大な光量の照明光が電子内視鏡１０に入射してしまうことを確実に防止することができる。
【００３１】
次に、図５に示すフローチャートを参照しながら、上記構成による内視鏡システム２の作用について説明する。内視鏡システム２で検査を実施する際には、先ず洗浄・消毒などが施された清潔な電子内視鏡１０を、プロセッサ装置１２、及び光源装置１４に接続する。そして、この後、プロセッサ装置１２に設けられた検査開始ボタンを押圧して内視鏡検査を開始する。
【００３２】
プロセッサ装置１２のＣＰＵ３０は、検査開始が指示されると、ＴＧ３２の制御を開始し、ＣＣＤ２４の駆動信号をＣＣＤドライバ３３に出力させる。ＣＣＤ２４は、入力された駆動信号を基に、観察窓２１を介して入射した像光を撮像し、撮像信号をＣＤＳ／ＰＧＡ３４に出力する。出力された撮像信号は、ＣＤＳ／ＰＧＡ３４によるノイズ除去と増幅、Ａ／Ｄ３５によるＡ／Ｄ変換、画像処理部３６による画像処理、及び表示制御部３７によるビデオ信号への変換を介してモニタ１６に入力される。これにより、内視鏡画像がモニタ１６に表示される。
【００３３】
また、Ａ／Ｄ３５から出力される画像データは、画像処理部３６に入力されるとともに、自動調光回路３８に入力される。自動調光回路３８は、入力された画像データを基に測光値を算出し、算出した測光値を光源装置１４のＣＰＵ４０に送る。
【００３４】
ＣＰＵ３０は、検査開始が指示されると、内視鏡画像の表示を行なうとともに、ＲＯＭ２６にアクセスし、ＲＯＭ２６からスコープ識別情報２８を読み出す。ＣＰＵ３０は、スコープ識別情報２８を読み出すと、そのスコープ識別情報２８と光源４２の点灯開始の指示とを光源装置１４のＣＰＵ４０に送る。
【００３５】
光源装置１４のＣＰＵ４０は、プロセッサ装置１２のＣＰＵ３０からスコープ識別情報２８と光源４２の点灯開始の指示とを受け取ると、先ず、スコープ識別情報２８を基に光源制御情報テーブル４６を参照し、プロセッサ装置１２、及び光源装置１４に接続された電子内視鏡１０の機種に対応した最大デューティ比を取得する。ＣＰＵ４０は、最大デューティ比を取得すると、光源４２を点灯させるとともに、アイリスドライバ４４に制御信号を送信する。アイリスドライバ４４は、制御信号に基づいて、取得した最大デューティ比、及び測光値に応じたデューティ比の駆動パルス信号をモータ５３に出力する。
【００３６】
これにより、照明光の光量が適正な露出値に調節される。また、電子内視鏡１０の機種毎に予め決められた最大デューティ比以下にデューティ比が調節されるので、過大な光量の照明光が電子内視鏡１０に入射してしまうことを確実に防止することができる。さらに、スコープ識別情報２８と光源制御情報テーブル４６とを基に、電子内視鏡１０の機種に対応した最大デューティ比をＣＰＵ４０が自動的に取得するので、検査スタッフの手を煩わせることもない。
【００３７】
なお、上記実施形態では、スコープ識別情報２８を電子内視鏡１０に設けられたＲＯＭ２６から読み出し、このスコープ識別情報２８を基に光源制御情報テーブル４６を参照することによって最大デューティ比を取得するようにしたが、最大デューティ比の取得方法は、これに限るものではない。例えば、図６に示す内視鏡システム６０のように、電子内視鏡６１の機種に対応した最大デューティ比を示すデューティ比情報（光源制御情報）６５をＲＯＭ（光源制御情報記憶手段）６４に記憶させ、ＲＯＭ６４からデューティ比情報６５を読み出すことによって、電子内視鏡６０の機種に対応した最大デューティ比を取得するようにしてもよい。このように構成すれば、光源装置６２のＲＡＭ６６に光源制御情報テーブル４６を記憶させる必要がなくなる。
【００３８】
また、上記各実施形態では、照明光の光量の限界値を規定する光源制御情報として、モータ５３に入力する駆動パルス信号の最大デューティ比を示したが、これに限ることなく、例えば、光源４２に印加する直流電源の電圧値や電流値を光源制御情報とし、光源４２の電圧又は電流を制御することによって照明光の光量を調節するようにしてもよい。さらには、限界値の光量自体を光量制御情報とし、光量とデューティ比とを関連付けたテーブルを参照することなどによって、限界値以下に調節してもよい
【００３９】
一般的な電子内視鏡１０では、照明光を伝達させるだけでよいため、光源装置１４との接続に光コネクタのみが用いられる。従って、従来の電子内視鏡１０と光源装置１４との間では、電気信号を送受信する機能がない。このため、図１や図６に示す例では、プロセッサ装置１２のＣＰＵ３０がＲＯＭ２６からスコープ識別情報２８やデューティ比情報６２を読み出し、これらを光源装置１４のＣＰＵ４０に送るようにしている。こうすれば、電子内視鏡１０と光源装置１４とのコネクタを改変する必要がない。
【００４０】
しかしながら、これに限ることなく、例えば、電子内視鏡１０と光源装置１４との間で電気信号を送受するためのコネクタを別途設けたり、照明光の伝達と電気信号の送受とを行なうことができるコネクタを用いたりすることにより、図７に示す内視鏡システム７０のように、光源装置７２のＣＰＵ７６が直接ＲＯＭ７４からスコープ識別情報７５などを読み出すようにしてもよい。
【００４１】
光源４２の光量は、経時劣化によって低下することが知られている。ところが、上記各実施形態では、電子内視鏡１０の機種毎に決められた一定の最大デューティ比以下となるように照明光の光量を調節するようにしている。このため、光源４２が経時劣化を起こすと、最大デューティ比の駆動パルス信号をモータ５３に入力したとしても、照明光の光量が限界値よりも暗くなってしまう。これを防止するため、図８に示す内視鏡システム８０のように構成してもよい。
【００４２】
内視鏡システム８０の光源装置８２は、光源４２の点灯時間を計時するカウンタ（計時手段）８５をＣＰＵ８４に有している。また、光源装置８２のＲＡＭ（点灯時間記憶手段）８６には、カウンタ８５が計時した点灯時間の積算値を示す光源点灯時間積算情報８７と、光源制御情報テーブル８８とが記憶されている。ＣＰＵ８４は、光源４２を点灯させる際に、先ず、ＲＡＭ８６から光源点灯時間積算情報８７を読み出す。そして、ＣＰＵ８４は、読み出した光源点灯時間積算情報８７をカウンタ８５に入力する。ＣＰＵ８４は、光源点灯時間積算情報８７をカウンタ８５に入力した後、光源４２を点灯させるとともに、カウンタ８５による計時を開始させる。この際、カウンタ８５は、光源点灯時間積算情報８７が示す現時点までの点灯時間に加算するように計時を行なう。
【００４３】
ＣＰＵ８４は、検査終了の指示などに応じて光源４２を消灯させると、カウンタ８５による計時を停止させ、その計時結果を新たな光源点灯時間積算情報８７としてＲＡＭ８６に記憶させる。このように、光源点灯時間積算情報８７の読み出し、計時、新たな光源点灯時間積算情報８７の記憶を行なうことで、光源４２の点灯時間の積算値を得ることができる。
【００４４】
本実施形態の光源制御情報テーブル８８は、図９に示すように、モータ５３の最大デューティ比が光源４２の点灯時間毎に区分され、それぞれ電子内視鏡８１の機種に関連付けられている。各最大デューティ比は、光源４２の経時劣化による光量の低下を補正するため、光源４２の点灯時間が長くなるに従って高くなるようになっている。
【００４５】
ＣＰＵ８４は、プロセッサ装置８３のＣＰＵ３０からスコープ識別情報２８と光源４２の点灯開始の指示とを受け取ると、ＲＡＭ８６から光源点灯時間積算情報８７を読み出す。ＣＰＵ８４は、光源点灯時間積算情報８７を読み出すと、その光源点灯時間積算情報８７とスコープ識別情報２８とを基に光源制御情報テーブル８８を参照し、接続された電子内視鏡８１の機種、及び光源４２の点灯時間の積算値に対応した最大デューティ比を取得する。例えば、電子内視鏡１０の機種が「内視鏡１」で、点灯時間の積算値が「５５時間」である場合、ＣＰＵ８４は、「４１％」を対応する最大デューティ比として取得する。
【００４６】
ＣＰＵ８４は、最大デューティ比を取得すると、光源４２を点灯させるとともに、前述のように、カウンタ８５による計時を開始させる。そして、アイリスドライバ４４に制御信号を送信し、取得した最大デューティ比、及び測光値に応じたデューティ比の駆動パルス信号をモータ５３に出力させる。また、ＣＰＵ８４は、カウンタ８５の計時結果とスコープ識別情報２８とを基に光源制御情報テーブル８８を参照し、定期的に最大デューティ比を更新する。
【００４７】
このように、本実施形態では、カウンタ８５と光源点灯時間積算情報８７とを設け、光源４２の点灯時間の積算値が長くなるに従って最大デューティ比を高くするようにしたので、光源４２が経時劣化を起こした際にも、照明光の光量を限界値に適切に調節することができる。
【００４８】
なお、上記各実施形態では、識別情報記憶手段、及び光源制御情報記憶手段としてＲＯＭ２６を示したが、各記憶手段は、これに限ることなく、例えば、ＲＦＩＤタグなど、スコープ識別情報２８やデューティ比情報６２を記憶できるものであれば如何なるものでもよい。また、上記各実施形態では、ＣＣＤ２４を撮像素子として示したが、撮像素子は、これに限ることなく、例えば、ＣＭＯＳイメージセンサなどでもよい。
【００４９】
なお、上記各実施形態では、電子内視鏡１０を内視鏡として示したが、内視鏡は、これに限ることなく、例えば、超音波内視鏡などでもよい。また、上記各実施形態では、患者を被検体とする医療用の内視鏡を示したが、内視鏡は、これに限ることなく、配管などを被検体とする工業用のものでもよい。さらに、上記各実施形態では、プロセッサ装置１２と別体になった光源装置１４に本発明を適用した例を示したが、本発明は、これに限ることなく、例えば、光源一体型のプロセッサ装置に適用してもよい。
【図面の簡単な説明】
【００５０】
【図１】内視鏡システムの構成を概略的に示すブロック図である。
【図２】光量調節機構の構成を概略的に示す説明図である。
【図３】光量制御情報テーブルの一例を示す説明図である。
【図４】駆動パルス信号の一例を示す説明図である。
【図５】内視鏡システムの検査手順を概略的に示すフローチャートである。
【図６】内視鏡のＲＯＭに光源制御情報を記憶させた例を示すブロック図である。
【図７】光源装置のＣＰＵが識別情報を読み出す例を示すブロック図である。
【図８】光源の点灯時間に応じてデューティ比を変化させる例を示すブロック図である。
【図９】光源の点灯時間に応じてデューティ比を変化させる場合の光量制御情報テーブルの一例を示す説明図である。
【符号の説明】
【００５１】
２  内視鏡システム
１０  電子内視鏡
１２  プロセッサ装置
１４  光源装置
２６  ＲＯＭ（識別情報記憶手段）
２８  スコープ識別情報
４１  ＲＡＭ
４２  光源
４３  光量調節機構（光量調節手段）
４４  アイリスドライバ（制御手段）
４６  光源制御情報テーブル（テーブルデータ）
５０  絞り板
５０ａ  絞り開口
５１  シャッタ（遮光部材）
５２  コイルバネ（付勢部材）
５３  モータ
６４  ＲＯＭ（光源制御情報記憶手段）
６５  デューティ比情報（光源制御情報）
８５  カウンタ（計時手段）
８６  ＲＡＭ（点灯時間記憶手段）
８７  光源点灯時間積算情報
【図１】
2009213742.tif 000003
【図２】
2009213742.tif 000004
【図３】
2009213742.tif 000005
【図４】
2009213742.tif 000006
【図５】
2009213742.tif 000007
【図６】
2009213742.tif 000008
【図７】
2009213742.tif 000009
【図８】
2009213742.tif 000010
【図９】
2009213742.tif 000011